(57)【特許請求の範囲】
【請求項１】
画像を投写して表示する投写型表示装置であって、
照明光を射出する照明光学系と、
前記照明光学系から射出された光を３つの色光に分離する色光分離光学系と、
前記３つの色光ごとに設けられた３つの光変調装置と、
前記３つの光変調装置から射出された３つの色光を合成する色光合成光学系と、
前記色光合成光学系で合成された光を投写する投写光学系と、を備え、
各色光用の光変調装置は、前記各色光用の光変調装置の光照射面で反射される各色光の射出方向を、与えられた信号に応じて制御することにより、前記各色光を変調する射出方向制御型光変調装置であり、
前記色光分離光学系は、前記３つの色光のうち第１の色光を反射し第２と第３の色光を透過する第１の色光反射面と、第２の色光を反射し第１と第３の色光を透過する第２の色光反射面とが、略Ｘ字状に交差する第１の色選択交差反射面を有しており、
前記色光合成光学系は、前記３つの射出方向制御型光変調装置から射出された３つの色光のうち第１の色光を反射し第２と第３の色光を透過する第３の色光反射面と、第２の色光を反射し第１と第３の色光を透過する第４の色光反射面とが、略Ｘ字状に交差する第２の色選択交差反射面を有しており、
前記色光分離光学系と前記色光合成光学系とは、前記第１と第２の色選択交差反射面の交差軸が、略同一直線上に位置するように隣接して配置されており、
前記照明光学系と前記３つの射出方向制御型光変調装置と前記色光分離光学系と前記色光合成光学系とは、前記色光分離光学系から射出された各色光が対応する射出方向制御型光変調装置に入射され、前記各色光用の射出方向制御型光変調装置で反射された有効な各色光が前記色光合成光学系に入射されるように配置されており、
前記色光分離光学系は、前記照明光学系から射出された光が入射する１つの光入射面と、前記色光分離光学系で分離される３つの色光が射出する３つの色光射出面とをさらに備え、
前記１つの光入射面および前記３つの色光射出面は、それぞれの面を通過する光の中心軸に対してほぼ垂直となるように形成されており、
前記１つの光入射面に入射する入射光の中心軸及び前記３つの色光射出面から射出される射出光の中心軸とはいずれも前記第１と第２の色選択交差反射面の交差軸に対して鋭角をなすことを特徴とする投写型表示装置。
【請求項２】
請求項１記載の投写型表示装置であって、
前記色光合成光学系は、
前記３つの射出方向制御型光変調装置から射出された３つの色光が入射する３つの色光入射面と、
前記色光合成光学系で合成される光が射出する１つの合成光射出面と、を備え、
前記３つの色光入射面および前記１つの合成光射出面は、それぞれの面を通過する光の中心軸に対してほぼ垂直となるように形成されている、投写型表示装置。
【請求項３】
請求項１または請求項２記載の投写型表示装置であって、
前記各色光用の射出方向制御型光変調装置は、略矩形状の輪郭を有する光照射面を有しており、
各光照射面は、前記各光照射面の辺が所定の基準平面に対して傾きを有するように配置されており、
前記各色光用の射出方向制御型光変調装置から射出された各色光が前記投写光学系に至るまでの光路上において反射される回数が、奇数または偶数で統一されるように、前記各色光用の射出方向制御型光変調装置と、前記色光合成光学系との位置関係が設定されている、投写型表示装置。
【請求項４】
請求項１ないし請求項３のいずれかに記載の投写型表示装置であって、
前記照明光学系と、前記色光分離光学系と、前記３つの射出方向制御型光変調装置と、前記色光合成光学系と、前記投写光学系とは、所定の筐体に収納されており、
前記各色光用の射出方向制御型光変調装置は、略矩形状の輪郭を有する光照射面を有しており、
各光照射面は、前記各光照射面の辺が前記筐体の筐体平面に対して傾きを有するように配置されており、
前記投写型表示装置は、さらに、
前記投写型表示装置の使用時において、投写された略矩形状の画像が正立するように前記筐体を傾けて支持するための傾斜支持具を備える、投写型表示装置。
【発明の詳細な説明】
【０００１】
【発明の属する技術分野】
本発明は、画像を投写して表示する投写型表示装置に関するものである。
【０００２】
【従来の技術】
投写型表示装置には、光変調装置と呼ばれる電気光学装置が用いられている。この光変調装置は、照明光を画像データに応じて変調し、変調された光を画像を表す光（画像光）として射出するものである。光変調装置の例として、デジタル・マイクロミラー・デバイス（テキサス・インスツルメンツ（ＴＩ）社の登録商標である。以下、「ＤＭＤ」と呼ぶ。）があげられる。
【０００３】
ＤＭＤは、画像を構成する複数の画素に対応する複数のマイクロミラーを有している。複数のマイクロミラーはそれぞれ画像データに応じてその傾きが変化し、各マイクロミラーの傾きに応じて光を反射する。各マイクロミラーで反射された光のうち、所定の方向に反射された光が、画像を表す光として利用される。すなわち、ＤＭＤは、照射された光の射出方向を画像データに応じて制御することにより照明光を変調し、変調された光を画像を表す光として利用するタイプの光変調装置（射出方向制御型光変調装置）である。
【０００４】
図２５は、従来の投写型表示装置の例を示す概略平面図である。この投写型表示装置６０００は、照明光学系６１００と、ＴＩＲ（Total Internal Reflection ）プリズム６２００と、色光分離合成プリズム６３００と、３つのＤＭＤ６４００Ｒ，６４００Ｇ，６４００Ｂと、投写レンズ６５００とを備えている。
【０００５】
照明光学系６１００は、光源６１１０と、コンデンサレンズ６１２０と、反射ミラー６１３０とを備えている。光源６１１０から射出された光は、コンデンサレンズ６１２０の集光作用によって、反射ミラー６１３０とＴＩＲプリズム６２００と色光分離合成プリズム６３００とを介してＤＭＤ６４００Ｒ，６４００Ｇ，６４００Ｂを照明するように集光される。コンデンサレンズ６１２０から射出された光は、反射ミラー６１３０で反射されてＴＩＲプリズム６２００に入射する。ＴＩＲプリズム６２００に入射した光は、プリズム内部で全反射されて色光分離合成プリズム６３００に入射する。色光分離合成プリズム６３００に入射した光は、赤色（Ｒ）、緑色（Ｇ）、青色（Ｂ）の光に分離されて、対応する各色光用のＤＭＤ６４００Ｒ，６４００Ｇ，６４００Ｂに入射する。各色光用のＤＭＤ６４００Ｒ，６４００Ｇ，６４００Ｂから反射されてきた光は、色光分離合成プリズム６３００において再び合成されてＴＩＲプリズム６２００を通過して投写レンズ６５００に入射する。投写レンズ６５００に入射した光は、投写されてカラー画像が表示される。以上の説明からわかるように、ＴＩＲプリズム６２００は、光が最初に入射するときにはその光を全反射し、再度入射するときには透過する機能を有する反射／透過型プリズムである。
【０００６】
【発明が解決しようとする課題】
ＤＭＤのような射出方向制御型光変調装置を利用する場合、ＤＭＤに照射される照明光の照射角度に制約がある場合がある。この制約を満たすために、照明光を各色光用のＤＭＤ６４００Ｒ，６４００Ｇ，６４００Ｂに導くとともに、これらから射出された光を投写レンズ６５００に導くためにＴＩＲプリズム６２００のような反射／透過型プリズムが用いられている場合が多い。
【０００７】
このような反射／透過型プリズムのサイズは、上記制約を満足するために大きくなっている場合が多く、従来の投写型表示装置は、小型化が困難であるという問題があった。
【０００８】
この発明は、ＤＭＤのような射出方向制御型光変調装置を用いた投写型表示装置において、投写型表示装置の小型化を図る技術を提供することを目的とする。
【０００９】
【課題を解決するための手段およびその作用・効果】
上述の課題を解決するため、本発明の投写型表示装置は、
照明光を射出する照明光学系と、
前記照明光学系から射出された光を３つの色光に分離する色光分離光学系と、
前記３つの色光ごとに設けられた３つの光変調装置と、
前記３つの光変調装置から射出された３つの色光を合成する色光合成光学系と、
前記色光合成光学系で合成された光を投写する投写光学系と、を備え、
各色光用の光変調装置は、前記各色光用の光変調装置の光照射面で反射される各色光の射出方向を、与えられた信号に応じて制御することにより、前記各色光を変調する射出方向制御型光変調装置であり、
前記色光分離光学系は、前記３つの色光のうち第１の色光を反射し第２と第３の色光を透過する第１の色光反射面と、第２の色光を反射し第１と第３の色光を透過する第２の色光反射面とが、略Ｘ字状に交差する第１の色選択交差反射面を有しており、
前記色光合成光学系は、前記３つの射出方向制御型光変調装置から射出された３つの色光のうち第１の色光を反射し第２と第３の色光を透過する第３の色光反射面と、第２の色光を反射し第１と第３の色光を透過する第４の色光反射面とが、略Ｘ字状に交差する第２の色選択交差反射面を有しており、
前記色光分離光学系と前記色光合成光学系とは、前記第１と第２の色選択交差反射面の交差軸が、略同一直線上に位置するように隣接して配置されており、
前記照明光学系と前記３つの射出方向制御型光変調装置と前記色光分離光学系と前記色光合成光学系とは、前記色光分離光学系から射出された各色光が対応する射出方向制御型光変調装置に入射され、前記各色光用の射出方向制御型光変調装置で反射された有効な各色光が前記色光合成光学系に入射されるように配置されており、
前記色光分離光学系は、前記照明光学系から射出された光が入射する１つの光入射面と、前記色光分離光学系で分離される３つの色光が射出する３つの色光射出面とをさらに備え、
前記１つの光入射面および前記３つの色光射出面は、それぞれの面を通過する光の中心軸に対してほぼ垂直となるように形成されており、
前記１つの光入射面に入射する入射光の中心軸及び前記３つの色光射出面から射出される射出光の中心軸とはいずれも前記第１と第２の色選択交差反射面の交差軸に対して鋭角をなすことを特徴とする。
【００１０】
本発明の投写型表示装置では、色光分離光学系と色光合成光学系とが隣接して配置されており、また、色光分離光学系から射出された各色光が対応する射出方向制御型光変調装置に入射され、各色光用の射出方向制御型光変調装置で反射された各色光が色光合成光学系に入射するように各構成要素を配置することにより、従来の投写型表示装置において備えていた反射／透過型プリズムを省略している。これにより、投写型表示装置の小型化を図ることができる。
【００１１】
また、上記構成によれば、色光分離光学系は、照明光学系か射出された光を精度良く３つの色光に分離し、分離した各色光を対応する射出方向制御型光変調装置の方向に射出することができる。
【００１２】
また、前記色光合成光学系は、
前記３つの射出方向制御型光変調装置から射出された３つの色光が入射する３つの色光入射面と、
前記色光合成光学系で合成される光が射出する１つの合成光射出面と、を備え、
前記３つの色光入射面および前記１つの合成光射出面は、それぞれの面を通過する光の中心軸に対してほぼ垂直となるように形成されていることが好ましい。
【００１３】
上記構成によれば、色光合成光学系は、各色光用の射出方向制御型光変調装置から射出された色光を精度良く合成して投写光学系の方向に射出することができる。
【００１４】
上記投写型表示装置において、
前記各色光用の射出方向制御型光変調装置は、略矩形状の輪郭を有する光照射面を有しており、
各光照射面は、前記各光照射面の辺が所定の基準平面に対して傾きを有するように配置されており、
前記各色光用の射出方向制御型光変調装置から射出された各色光が前記投写光学系に至るまでの光路上において反射される回数が、奇数または偶数で統一されるように、前記各色光用の射出方向制御型光変調装置と、前記色光合成光学系との位置関係が設定されていることが好ましい。
【００１５】
このようにすれば、各色光用の射出方向制御型光変調装置として同じ種類のものを利用することができる。
【００１６】
上記投写型表示装置において、
前記照明光学系と、前記色光分離光学系と、前記３つの射出方向制御型光変調装置と、前記色光合成光学系と、前記投写光学系とは、所定の筐体に収納されており、
前記各色光用の射出方向制御型光変調装置は、略矩形状の輪郭を有する光照射面を有しており、
各光照射面は、前記各光照射面の辺が前記筐体の筐体平面に対して傾きを有するように配置されており、
前記投写型表示装置は、さらに、
前記投写型表示装置の使用時において、投写された略矩形状の画像が正立するように前記筐体を傾けて支持するための傾斜支持具を備えることが好ましい。
【００１７】
上記構成によれば、投写型表示装置の使用時において、正立した画像を表示させることができる。また、投写型表示装置の非使用時において、筐体を傾けないで配置することにより、投写型表示装置の配置スペースを薄くすることができる。これにより、投写型表示装置の非使用時における省スペース化を図ることができる。
【００１８】
【発明の実施の形態】
Ａ．第１実施例：
図１は本発明の第１実施例としての投写型表示装置１０００における光学系の要部を示す概略斜視図である。図２は概略平面図であり、図３は概略正面図であり、図４は、概略右側面図である。なお、これらの図は、互いに直交する３つの軸のうち、基準平面Ｐに平行な２つの軸をｘ，ｚとし、垂直な軸をｙとする。図１に示すように、この投写型表示装置１０００は、照明光学系１００と、色光分離プリズム２００と、３つのＤＭＤ３００Ｒ，３００Ｇ，３００Ｂと、色光合成プリズム４００と、投写レンズ５００と、を備えている。また、色光分離プリズム２００と各ＤＭＤ３００Ｒ，３００Ｇ，３００Ｂとの間の光路上にそれぞれコンデンサーレンズ２５０Ｒ，２５０Ｇ，２５０Ｂを備え、緑色光用のＤＭＤ３００Ｇと色光合成プリズム４００との間の光路上にλ／２位相差板２６０（図４）を備えている。
【００１９】
図５は、照明光学系１００の構成を示す説明図である。照明光学系１００は、光源１１０と、第１のレンズアレイ１２０と、第２のレンズアレイ１３０と、偏光変換光学系１４０と、重畳レンズ１５０とを備えている。この図は、説明を容易にするため、重畳レンズ１５０から照明対象３００までの光路上に配置された構成要素を省略するとともに、その光路を直線的に示している。ここで、照明対象３００は、ＤＭＤ３００Ｒ、３００Ｇ、３００Ｂに相当する。互いに直交する軸をｘ，ｙ，ｚとし、光源１１０から見て光の射出方向をｚとする。紙面から垂直に向かう方向をｙとし、紙面に平行な方向をｘとする。光源１１０と、第１のレンズアレイ１２０と、第２のレンズアレイ１３０と、偏光変換光学系１４０と、重畳レンズ１５０とは、照明光学系１００の中心光軸（以下、「照明光軸」とも呼ぶ）１００ＬＣに沿って配列されている。第１と第２のレンズアレイ１２０，１３０は、それぞれの中心軸が光源１１０の中心光軸（以下、「光源光軸」とも呼ぶ）１１０ＬＣにほぼ一致するように配置されている。偏光変換光学系１４０と重畳レンズ１５０は、それぞれの中心軸が照明光軸１００ＬＣにほぼ一致するように配置されている。光源光軸１１０ＬＣは照明光軸１００ＬＣから−ｘ方向に所定のずれ量Ｄｐだけ平行にずれている。このずれ量Ｄｐについては後述する。
【００２０】
光源１１０は、光源ランプ１１２と凹面鏡１１４とを有している。光源ランプ１１２は、放射状の光線を射出する放射光源である。光源ランプ１１２としては、メタルハライドランプや高圧水銀灯などの高圧放電灯が用いられる。凹面鏡１１４は、光源ランプ１１２からの放射光線を反射して第１のレンズアレイ１２０の方向に射出する。凹面鏡１１４としては、放物面鏡や楕円面鏡が用いられる。
【００２１】
図６は、第１のレンズアレイ１２０の外観を示す斜視図である。第１のレンズアレイ１２０は略矩形状の輪郭を有する小レンズ１２２がＭ行Ｎ列のマトリクス状に配列された構成を有している。この例では、Ｍ＝５，Ｎ＝４である。第２のレンズアレイ１３０も、第１のレンズアレイ１２０の小レンズ１２２に対応するように、小レンズ１３３がＭ行Ｎ列のマトリクス状に配列された構成を有している。第１のレンズアレイ１２０の各小レンズ１２２は、光源１１０（図３）から射出された光線束を複数の（すなわちＭ×Ｎ個の）部分光線束に分割し、各部分光線束を第２のレンズアレイ１３０の対応する各小レンズ１３３の近傍で結像するように集光する機能を有している。第２のレンズアレイ１３０の各小レンズ１３３は、各部分光線束が後述する偏光変換光学系１４０に有効に入射するように集光する機能を有している。
【００２２】
第１のレンズアレイ１２０の各小レンズ１２２をｚ方向から見た外形形状は、照明対象３００であるＤＭＤ３００Ｒ，３００Ｇ，３００Ｂの光照射面（照明光を画像データに応じて変調する領域）の輪郭形状とほぼ相似形をなすように設定されている。例えば、ＤＭＤの光照射面のアスペクト比（横と縦の寸法の比率）が４：３であるならば、各小レンズ１２２のアスペクト比も４：３に設定されている。
【００２３】
図７は、偏光変換光学系１４０の構成およびその機能を示す説明図である。図７（Ａ）は偏光変換光学系１４０の斜視図であり、図７（Ｂ）はその一部を拡大して示す平面図である。偏光変換光学系１４０は、遮光板１４２と、偏光ビームスプリッタアレイ１４４と、選択位相差板１４６とを備えている。偏光ビームスプリッタアレイ１４４は、それぞれ断面が平行四辺形の柱状の複数の透光性板材１４４ａが、交互に貼り合わされた形状を有している。透光性板材１４４ａの界面には、偏光分離膜１４４ｂと反射膜１４４ｃとが交互に形成されている。なお、この偏光ビームスプリッタアレイ１４４は、偏光分離膜１４４ｂと反射膜１４４ｃが交互に配置されるように、これらの膜が形成された複数枚の板ガラスを貼り合わせて、所定の角度で斜めに切断することによって作製することができる。偏光分離膜１４４ｂは誘電体多層膜で、また、反射膜１４４ｃは誘電体多層膜あるいはアルミニウム膜で形成することができる。
【００２４】
遮光板１４２は、図７（Ａ）に示すように、複数の遮光面１４２ａと複数の開口面１４２ｂとがストライプ状に配列して構成されたものである。遮光面１４２ａと開口面１４２ｂの配列の仕方は、第２のレンズアレイ１３０から射出された部分光線束が偏光ビームスプリッタアレイ１４４の偏光分離膜１４４ｂにのみ入射し、反射膜１４４ｃには入射しないように設定されている。遮光板１４２としては、平板状の透明体（例えばガラス板）に遮光性の膜（例えばクロム膜、アルミニウム膜、及び、誘電体多層膜）を部分的に形成したものや、或いは、例えばアルミニウム板のような遮光性の平板に開口部を設けたもの等を使用できる。
【００２５】
遮光板１４２の開口面１４２ｂを通過した非偏光な光線束（図７（Ｂ）に、実線で示す）は、偏光ビームスプリッタアレイ１４４の偏光分離膜１４４ｂに入射し、２種類の直線偏光光（ｓ偏光光とｐ偏光光と）に分離される（図７（Ｂ）に、一点鎖線で示す）。ｐ偏光光のほとんどは、偏光分離膜１４４ｂをそのまま透過する。一方、ｓ偏光光のほとんどは、偏光分離膜１４４ｂで反射され、さらに反射膜１４４ｃで反射されて、偏光分離膜１４４ｂをそのまま通過したｐ偏光光とほぼ平行な状態で、ｘ軸方向に距離Ｗｐ（偏光分離膜１４４ｂや反射膜１４４ｃのｘ軸方向の幅）だけ平行移動されて射出される。選択位相差板１４６の偏光分離膜１４４ｂを通過する光の射出面部分にはλ／２位相差層１４６ａが形成されており、反射膜１４４ｃで反射された光の射出面部分にはλ／２位相差層は形成されておらず、開口層１４６ｂとなっている。従って、偏光分離膜１４４ｂを透過したｐ偏光光は、λ／２位相差層１４６ａによってｓ偏光光に変換されて選択位相差板１４６から射出される。一方、反射膜１４４ｃで反射されたｓ偏光光は、開口層１４６ｂの通過に際して偏光状態が全く変化しないため、ｓ偏光光のまま選択位相差板１４６から射出される。この結果、偏光変換光学系１４０に入射した非偏光な光のほとんどがｓ偏光光に変換されて射出される。もちろん反射膜１４４ｃで反射される光の射出面部分だけに選択位相差板１４６のλ／２位相差層１４６ａを形成することにより、ほとんどの光束をｐ偏光光に変換して射出することもできる。また、偏光分離膜１４４ｂは、ｓ偏光光をほとんど透過し、ｐ偏光光をほとんど反射するものでもよい。
【００２６】
ところで、図７（Ｂ）から解るように、偏光変換光学系１４０から射出する２つのｓ偏光光の中心（２つのｓ偏光光の中央）は、入射する非偏光な光（ｓ偏光光＋ｐ偏光光）の中心よりもｘ方向にずれている。このずれ量は、λ／２位相差層１４６ａの幅Ｗｐ（すなわち偏光分離膜１４４ｂのｘ軸方向に沿った幅）の半分に等しい。このため、図３に示すように、光源光軸１１０ＬＣは、照明光軸ＬＣから、Ｗｐ／２に等しい距離Ｄｐだけずれた位置に設定されている。
【００２７】
偏光変換光学系１４０から射出される複数の部分光線束は、重畳レンズ１５０の重畳作用によって照明対象３００上で重畳される。以上の説明からわかるように、２つのレンズアレイ１２０，１３０と、重畳レンズ１５０とは、いわゆるインテグレータ光学系を構成している。これにより、照明光学系１００は、照明対象３００であるＤＭＤ３００Ｒ，３００Ｇ，３００Ｂの光照射面を色光分離プリズム２００を介して均一に照明することができる。なお、光源１１０の凹面鏡１１４を楕円面鏡とした場合には、重畳レンズ１５０を省略することもできる。
【００２８】
なお、照明光学系１００は、図１に示すようにＤＭＤ３００Ｒ、３００Ｇ、３００Ｂの光照射面３０２が、光照射面３０２に垂直な中心軸３０２ｃを中心として基準平面であるｘｚ平面に対して傾きを有するように回転配置されている。このため、投写型表示装置１０００の照明光学系１００は、実際には、第１のレンズアレイ１２０の各小レンズ１２２から射出された各部分光線束がＤＭＤ３００Ｒ、３００Ｇ、３００Ｂの各光照射面３０２を有効に照明するように、照明光軸１００ＬＣを中心に光照射面３０２の傾きに対応する角度で回転配置されている。
【００２９】
また、照明光学系１００は、照明光軸１００ＬＣが、図２に示すようにｙｚ平面に平行で、後述する赤色光反射面２０２Ｒと青色光反射面２０２Ｂとが交差する交差軸２０２ｃを通るように、かつ、図４に示すようにｘｚ平面に対して約２５度斜め上方向を向くように配置されている。なお、以下ではｘｚ平面を「基準平面Ｐ」と呼ぶ。また、以下の説明において、光の進行方向について説明する場合には、説明を容易にするため、光の中心光線に着目して説明する。
【００３０】
照明光学系１００から射出された光は、色光分離プリズム２００の光入射面２０４から色光分離プリズム２００に入射する（図１〜図４）。色光分離プリズム２００は、照明光学系１００から射出された光を、赤色、緑色、青色の３つの色光成分に分離する色光分離光学系としての機能を有している。図８は、色光分離プリズム２００の構造を示す説明図である。図８（Ａ）は、照明光学系１００を向く側を正面とし、この正面右斜め上方向から見た斜視図を示している。図８（Ｂ）はその正面図を示し、図８（Ｃ）および（Ｄ）は、その平面図および右側面図を示している。色光分離プリズム２００は、１０個の頂点ａ〜ｊを有する７面体である。
【００３１】
側面ａｂｆｅは、照明光学系１００から射出された光が入射する光入射面２０４である。このため、光入射面２０４は、図８（Ｄ）に示すように、照明光学系１００の照明光軸１００ＬＣに対して垂直な面となるように、基準平面Ｐに対して約１２５度の鈍角を有するように形成されている。これにより、光入射面２０４から入射する光を入射後もそのまま直進させることができる。
【００３２】
色光分離プリズム２００の内部には、図８（Ｃ）に示すように、赤色光反射面２０２Ｒと青色光反射面２０２Ｂとが略Ｘ字状に形成されている。赤色光反射面２０２Ｒと青色光反射面２０２Ｂとは、これらが交差する交差軸２０２ｃが、図８（Ｂ），（Ｄ）に示すように、基準平面Ｐに垂直となるように形成されている。また、赤色光反射面２０２Ｒおよび青色光反射面２０２Ｂは、図８（Ｃ）に示すように、照明光学系１００の照明光軸１００ＬＣを含み基準平面Ｐに垂直な面に対してそれぞれ約４５度の角度を有している。赤色光反射面２０２Ｒには、赤色光成分を反射し、赤色光成分よりも短波長の色光成分（緑色光成分および青色光成分）を透過する誘電体多層膜（赤色反射膜）が形成されている。青色光反射面２０２Ｂには、青色光成分を反射し青色光よりも長波長の色光成分（緑色光成分および赤色光成分）を透過する誘電体多層膜（青色反射膜）が形成されている。
【００３３】
光入射面２０４から入射した光のうち緑色光成分は、赤色光反射面２０２Ｒおよび青色光反射面２０２Ｂを透過する。このとき、緑色光成分の中心軸は、図８（Ｃ），（Ｄ）に示すように、基準平面Ｐに対して約２５度斜め上方向に向けられる。赤色光成分は赤色光反射面２０２Ｒで反射され、図８（Ｂ），（Ｃ）に示すように、赤色光成分の中心軸が照明光軸１００ＬＣにほぼ垂直に、かつ、基準平面Ｐに対して約２５度斜め上方向に向かって反射される。青色光成分は青色光反射面２０２Ｂで反射され、図８（Ｂ），（Ｃ）に示すように、青色光成分の中心軸が照明光軸１００ＬＣにほぼ垂直に、かつ、基準平面Ｐに対して約２５度斜め上方向に向かって反射される。
【００３４】
赤色光反射面２０２Ｒおよび青色光反射面２０２Ｂで分離された赤色光と緑色光と青色光とは、それぞれ対応する側面ｄａｅｇｊと側面ｃｄｊｉと側面ｂｃｉｈｆとから射出される。したがって、側面ｄａｅｇｊが赤色光射出面２０６Ｒであり、側面ｃｄｊｉが緑色光射出面２０６Ｇであり、側面ｂｃｉｈｆが青色光射出面２０６Ｂである。これらの各色光射出面２０５Ｒ，２０６Ｇ，２０６Ｂは、各色光射出面２０６Ｒ，２０６Ｇ，２０６Ｂから射出される各色光が、射出後もそのまま直進するように形成されている。具体的には、図８（Ｂ），（Ｄ）に示すように、基準平面Ｐに対して約６５度の鋭角を有するように形成されている。これにより、各色光射出面２０６Ｒ，２０６Ｇ，２０６Ｂから射出される各色光をそのまま直進させて、基準平面Ｐに対して約２５度斜め上方向に射出することができる。
【００３５】
底面ａｂｃｄは、光入射面２０４から入射した光の中心軸（照明光軸１００ＬＣに平行）と赤色光反射面２０２Ｒおよび青色光反射面２０２Ｂで分離された各色光の中心軸に平行な面である。また、側面ｅｆｈｇは、稜線ｅｆおよびｇｈが稜線ａｂに平行で、基準平面Ｐに垂直な面である。なお、投写表示に使用される有効な光が通過しない面（底面ａｂｃｄ，上面ｇｈｉｊ，側面ｅｆｈｇ）の傾きは上記以外の任意の傾きに設定可能である。
【００３６】
図９および図１０は、色光分離プリズム２００を作製する方法について示す説明図である。まず、図９（Ａ）に示すような、クロスダイクロイックプリズム２００Ｏを準備する。このクロスダイクロイックプリズム２００Ｏは、４つの直角プリズムが互いに直角を成す面で接合され、平面が略正方形の形状を有する立方体または直方体の柱状プリズムである。４つの頂点Ｄ，Ｂ，Ｈ，Ｊで構成される対角面ＤＢＨＪには、赤色反射膜が形成されており、この対角面ＤＢＨＪが色光分離プリズム２００の赤色光反射面２０２Ｒに対応する。４つの頂点Ａ，Ｃ，Ｉ，Ｇで構成される対角面ＡＣＩＧには、青色光反射膜が形成されており、この対角面ＡＣＩＧが色光分離プリズム２００の青色光反射面２０２Ｂに対応する。
【００３７】
次に、このクロスダイクロイックプリズム２００Ｏを、図９（Ｂ）に示すように、４つの切断面ＳＬ１，ＳＬ２，ＳＬ３，ＳＬ４で切断することにより、図９（Ｃ）に示す色光分離プリズム２００Ａを作製する。
【００３８】
切断面ＳＬ１は、底面ＡＢＣＤに対して側面ＡＢＨＧ側に約６５度の傾きを有し、底面ＡＢＣＤを稜線ＣＤよりも稜線ＡＢに近い側で分断する面である。切断面ＳＬ２は切断面ＳＬ１に平行な面であり、クロスダイクロイックプリズム２００Ｏの頂点Ｃ，Ｄ付近を通過する面である。切断面ＳＬ３は、クロスダイクロイックプリズム２００Ｏの頂点Ｂ，Ｃ付近を通過し、底面ＡＢＣＤに対して側面ＤＡＧＪ側に約６５度の傾きを有する面である。切断面ＳＬ４は、クロスダイクロイックプリズム２００Ｏの頂点Ａ，Ｄ付近を通過し、底面ＡＢＣＤに対して側面ＢＣＩＨ側に約６５度の傾きを有する面である。
【００３９】
次に、図１０（Ａ），（Ｂ）に示すように、図９（Ｃ）の色光分離プリズム２００Ａの上面Ｇ’Ｈ’Ｉ’Ｊ’および底面ＡＢＣＤに垂直で、かつ、稜線ＡＢに平行な切断面ＳＬ５で、側面ＡＢＨ’Ｇ’を分断するように切断する。また、色光分離プリズム２００Ａの底面ＡＢＣＤに対して頂点Ａ，Ｂ付近を通り、底面ＡＢＣＤに対して上面Ｇ’Ｈ’Ｉ’Ｊ’側に約２５度の傾きを有する切断面ＳＬ６で切断する。以上のようにして、図８に示す色光分離プリズム２００を作製することができる。
【００４０】
なお、図９（Ｃ）および図１０（Ａ）に示す頂点Ａ，Ｂ，Ｃ’，Ｄ’，Ｅ，Ｆ，Ｇ’，Ｈ’，Ｉ’，Ｊ’が、図８に示す色光分離プリズム２００の頂点ａ，ｂ，ｃ，ｄ，ｅ，ｆ，ｇ，ｈ，ｉ，ｊに相当する。
【００４１】
なお、色光分離プリズム２００Ａの側面ＡＢＨ’Ｇ’は、切断面ＳＬ１によって形成された面であり、底面ＡＢＣＤに対して約１２５度の傾きを有する面である。したがって、側面ＡＢＨ’Ｇ’は、図８に示した色光分離プリズム２００の光入射面２０４に対応する面である。色光分離プリズム２００Ａの側面ＣＤＪ’Ｉ’は切断面ＳＬ２によって形成された面であり、底面ＡＢＣＤに対して約６５度の傾きを有する面である。また、側面ＤＡＧ’Ｊ’および側面ＢＣＩ’Ｈ’は、切断面ＳＬ３および切断面ＳＬ４によって形成された面であり、それぞれ底面ＡＢＣＤに対して約６５度の傾きを有する面である。したがって、側面ＤＡＧ’Ｊ’と、側面ＣＤＪ’Ｉ’と、側面ＢＣＩ’Ｈ’とは、それぞれ図８に示した色光分離プリズム２００の赤色光射出面２０６Ｒと、緑色光射出面２０６Ｇと、青色光射出面２０６Ｂとに対応する面である。一方、色光分離プリズム２００の面ｅｆｈｊ，ａｂｃｄ（図８（Ａ））は、上述したように色光分離プリズム２００Ａを図１０に示す切断面ＳＬ５，ＳＬ６で切断することによって形成された面である。これらの面ｅｆｈｊ，ａｂｃｄは、上述したように、有効な光が通過しない面であるので、図１０（Ａ）に示すように、色光分離プリズム２００Ａにおいて不要な部分をカットすることにより形成された面である。このため、これらの面ｅｆｈｊ，ａｂｃｄは、必ずしも形成する必要はない。したがって、図８の色光分離プリズム２００ではなく、図９（Ｃ）の２００Ａをそのまま利用するようにしてもよい。
【００４２】
なお、図９の作製方法は、一例でありこれに限定されるものではなく、図８や図９（Ｃ）に示した形状の色光分離プリズム２００，２００Ａを作製することができればどのような方法であってもよい。
【００４３】
色光分離プリズム２００から射出された各色光は、それぞれ対応するコンデンサーレンズ２５０Ｒ，２５０Ｇ，２５０Ｂを介して各色光用のＤＭＤ３００Ｒ，３００Ｇ，３００Ｂに入射する（図１〜図４）。コンデンサーレンズ２５０Ｒ，２５０Ｇ，２５０Ｂは、入射する複数の部分光線束を、それぞれの主光線に平行な平行光に変換するために設けられている。
【００４４】
各色光用のＤＭＤ３００Ｒ、３００Ｇ、３００Ｂは、それぞれの光照射面３０２の中心に、色光分離プリズム２００の対応する各色光射出面２０６Ｒ、２０６Ｇ、２０６Ｂから射出された各色光の中心軸が入射するように配置されている。また、赤色光用および青色光用のＤＭＤ３００Ｒ，３００Ｂは、それぞれの光照射面３０２に垂直な中心軸３０２ｃがｘ軸に平行となるように配置され、緑色光用のＤＭＤ３００Ｇは、中心軸３０２ｃがｚ軸に平行となるように配置されている。したがって、色光分離プリズム２００から射出された各色光は、対応する各色光用のＤＭＤ３００Ｒ，３００Ｇ，３００Ｂに、下方向から上方向に向かって入射する。
【００４５】
図１１は、各色光用のＤＭＤ３００Ｒ，３００Ｇ，３００Ｂの光照射面３０２を示す説明図である。図１１（Ａ）は、緑色光用のＤＭＤ３００Ｇの光照射面３０２を示し、図１１（Ｂ）は、赤色光用または青色光用のＤＭＤ３００Ｒ，３００Ｂの光照射面３０２を示している。ここで、説明を容易にするため、光照射面３０２に照射される照明光を、中心光線（入射光線）ＩＲで代表して示すこととする。また、照明光ＩＲの光照射面３０２への入射位置を通り、光照射面３０２の横方向軸をｈ、光照射面３０２の縦方向軸をｖとする。
【００４６】
図１１（Ａ）に示すように、緑色光用のＤＭＤ３００Ｇは、光照射面３０２の横方向軸ｈが基準平面Ｐに対して時計回りに約４５度傾くように配置されている。このようにＤＭＤ３００Ｇの光照射面３０２を傾けて配置しているのは、以下の理由による。
【００４７】
光照射面３０２上には、略正方形の輪郭を有する複数のマイクロミラー３０４がマトリクス状に形成されている。各マイクロミラー３０４は、左下の頂点ＣＰ１と右上の頂点ＣＰ２とを結ぶ対角線を回動軸３０４ｃとして所定の回動範囲（±θｒ）で回動可能に形成されている。なお、図１１（Ａ）の矢印方向から見て、時計周りに沿った角度を正とする。この各マイクロミラー３０４が画像を構成する各画素に相当する。
【００４８】
装置の構成を容易にするためには、各マイクロミラー３０４のへの入射光とその反射光とを含む面が各マイクロミラー３０４の回動軸３０４ｃに垂直となるように、照明光ＩＲを光照射面３０２に入射させることが好ましい。具体的には、緑色光用のＤＭＤ３００Ｇに照射される照明光ＩＲは、照明光ＩＲを光照射面３０２に平行な平面上に投影したときの照明光ＩＲの光路が、光照射面３０２の横方向軸ｈに対して所定の傾きθｈ（約４５度）を有するように入射することが好ましい。一方、色光分離プリズム２００から射出された照明光ＩＲとしての緑色光は、図８を用いて説明したように、ＤＭＤ３００Ｇに下方向から上方向に向かって入射する。そこで、本実施例においては、図１１（Ａ）に示すように、緑色光用のＤＭＤ３００Ｇを、光照射面３０２の横方向軸ｈが基準平面Ｐに対して時計回りに約４５度傾くようにして、各マイクロミラー３０４の回動軸３０４ｃが左右方向を向くように配置している。これにより、照明光ＩＲとしての緑色光の横方向軸ｈに対する傾きθｈを約４５度に保ちつつ、照明光ＩＲを下方向から上方向に向かって入射させることができる。
【００４９】
赤色光用のＤＭＤ３００Ｒおよび青色光用のＤＭＤ３００Ｂも、同様に、基準平面Ｐに対して傾けて配置されている。但し、これらのＤＭＤ３００Ｒ，３００Ｂは、図１１（Ｂ）に示すように、光照射面３０２の横方向軸ｈが基準平面Ｐに対して反時計周りに約４５度傾くように配置されている。この理由については後述する。この場合の赤色光用および青色光用のＤＭＤ３００Ｒ，３００Ｂには、図１１（Ａ）に示した緑色光用のＤＭＤ３００Ｇのような各マイクロミラー３０４の左下の頂点ＣＰ１と右上の頂点ＣＰ２とを結ぶ対角線を回動軸３０４ｃとする種類のＤＭＤではなく、各マイクロミラー３０４の左上の頂点ＣＰ３と右下の頂点ＣＰ４とを結ぶ対角線を回動軸３０４ｃとする種類のＤＭＤが用いられる。
【００５０】
図１２は、図１１（Ａ），（Ｂ）の矢印方向から見たマイクロミラー３０４への入射光とその反射光とを含む面、すなわち、回動軸３０４ｃに垂直な断面における光路を示す説明図である。図１２は、照明光ＩＲを下方向から上方向に向かって入射させる場合を示している。マイクロミラー３０４は、光照射面３０２に平行な平面Ｆ（図１２に破線で示す）に対して、回動軸３０４ｃを中心に約±θｒ度（θｒ≒１０度）回動する。なお、時計周りに沿った角度を正とする。照明光ＩＲは、上述したように、平面Ｆの法線Ｆｎ（光照射面３０２に垂直な中心軸３０２ｃに平行な線）から＋θＬだけ下方向に傾いた方向からマイクロミラー３０４に入射する。
【００５１】
マイクロミラー３０４が平面Ｆに対して＋θｒだけ傾いた状態の場合、照明光ＩＲは、照明光ＩＲから−２・（θＬ−θｒ）だけ傾いた方向に反射光ＲＲ（＋θｒ）として反射される。マイクロミラー３０４が平面Ｆに対して−θｒだけ傾いた状態の場合、照明光ＩＲは、照明光ＩＲから−２・（θＬ＋θｒ）だけ傾いた方向に反射光ＲＲ（−θｒ）として反射される。このように、マイクロミラー３０４に照射された照明光ＩＲは、マイクロミラー３０４の回動角度に応じて異なった方向に反射して射出される。
【００５２】
ここで、反射光ＲＲ（＋θｒ）の方向に投写レンズを配置すると、反射光ＲＲ（−θｒ）は無効光ＵＲとなり、反射光ＲＲ（＋θｒ）のみを有効光（画像光）ＥＲとして利用することができる。すなわち、マイクロミラー３０４が＋θｒだけ傾いた状態において、反射光ＲＲ（＋θｒ）を投写レンズを介して投写して明表示を実現し、マイクロミラー３０４が−θｒだけ傾いた状態において、反射光ＲＲ（−θｒ）を投写レンズを介して投写せずに暗表示を実現することができる。中間の階調は、画像を描画する一定時間の中で、階調に応じて１つの画素の明と暗の表示の割合を制御する手法（いわゆるパルス幅変調と呼ばれる手法）で実現することができる。なお、反射光ＲＲ（−θｒ）を有効光として利用し、反射光ＲＲ（＋θｒ）を無効光とすることも可能である。この場合には、同じ画像データに対して明暗を反転させた画像を表示させることができる。
【００５３】
本実施例においては、θＬ＝（２・θｒ＋θｒｕ）とすることにより、マイクロミラー３０４が平面Ｆ（光照射面３０２）に対して＋θｒだけ傾いた場合に、反射光ＲＲ（＋θｒ）が法線Ｆｎ（光照射面３０２に垂直な軸３０２ｃ）に対してθｒｕだけ上方向を向くようにして、反射光ＲＲ（＋θｒ）を有効光ＥＲとしている。本実施例では、θｒｕ≒５度としており、各色光用のＤＭＤ３００Ｒ，３００Ｇ，３００Ｂからは、光照射面３０２に垂直な中心軸３０２ｃに対して約５度だけ上方向に向かって有効光ＥＲとしての各色光が射出される。なお、θｒｕ＝０度として、有効光ＥＲとしての各色光が光照射面３０２に垂直な中心軸３０２ｃに平行な方向を向いて射出されるようにしてもよい。
【００５４】
各色光用のＤＭＤ３００Ｒ，３００Ｇ，３００Ｂから射出された各色光は、それぞれ対応する入射面４０４Ｒ，４０４Ｇ，４０４Ｂから色光合成プリズム４００に入射する（図１〜図４）。
【００５５】
色光合成プリズム４００は、各色光用のＤＭＤ３００Ｒ，３００Ｇ，３００Ｂから射出された色光を合成する色光合成光学系としての機能を有している。図１３は、色光合成プリズム４００の構造を示す説明図である。図１３（Ａ）は、投写レンズ５００を向く側を正面とし、この正面右斜め上方向から見た斜視図を示している。図１３（Ｂ）はその正面図を示し、図８（Ｃ）および（Ｄ）は、その平面図および右側面図を示している。色光分離プリズム２００は、８つの頂点ｍ〜ｔで構成された６つの面を有する６面体である。
【００５６】
この色光合成プリズム４００は、各色光用のＤＭＤ３００Ｒ，３００Ｇ，３００Ｂから射出された色光が入射するように配置されている。具体的には、後述する赤色光反射面４０２Ｒと青色光反射面４０２Ｂとが交差する交差軸４０２ｃが、色光分離プリズム２００の赤色光反射面２０２Ｒと青色光反射面２０２Ｂとが交差する交差軸２０２ｃと略同一直線上となるように、色光分離プリズム２００の上側に隣接して配置されている（図１ないし図４）。また、色光合成プリズム４００は、図１３（Ｂ），（Ｄ）に示すように、その上面ｑｒｓｔおよび底面ｍｎｏｐが基準平面Ｐに平行となるように配置されている。
【００５７】
側面ｐｍｑｔは赤色光用のＤＭＤ３００Ｒから射出された赤色光が入射する赤色光入射面４０４Ｒであり、側面ｏｐｔｓは緑色光用のＤＭＤ３００Ｇから射出された緑色光が入射する緑色光入射面４０４Ｇであり、側面ｎｏｓｒは青色光用のＤＭＤ３００Ｂから射出された青色光が入射する青色光入射面４０４Ｂである。これらの各色光入射面４０４Ｒ，４０４Ｇ，４０４Ｂは、入射した各色光が、入射後もそのまま直進するように形成されている。具体的には、各位Ｒ光入射面４０４Ｒ，４０４Ｇ，４０４Ｂは、図１３（Ｂ），（Ｄ）に示すように、各色光の中心軸に対して垂直な面となるように、上面ｑｒｓｔに対して約８５度の鋭角を有するように形成されている。これにより、各色光入射面４０４Ｒ，４０４Ｇ，４０４Ｂから入射する色光をそのまま直進させることができる。
【００５８】
色光合成プリズム４００の内部には、図１３（Ｃ）に示すように、赤色光反射面４０２Ｒと青色光反射面４０２Ｂとが略Ｘ字状に形成されている。赤色光反射面４０２Ｒと青色光反射面４０２Ｂとは、これらが交差する交差軸４０２ｃが、図１３（Ｂ），（Ｄ）に示すように、底面ｍｎｏｐ（基準平面Ｐ）に垂直となるように形成されている。また、赤色光反射面４０２Ｒおよび青色光反射面４０２Ｂは、図１３（Ｃ）に示すように、各色光の中心軸を含み基準平面Ｐに垂直な面に対してそれぞれ約４５度の角度を有している。赤色光反射面４０２Ｒには、赤色光成分を反射し、赤色光成分よりも短波長の色光成分（緑色光成分および青色光成分）を透過する誘電体多層膜（赤色反射膜）が形成されている。青色光反射面４０２Ｂには、青色光成分を反射し青色光よりも長波長の色光成分（緑色光成分および赤色光成分）を透過する誘電体多層膜（青色反射膜）が形成されている。
【００５９】
緑色光入射面４０４Ｇから入射した緑色光は、図１３（Ｃ），（Ｄ）に示すように、緑色光の中心軸が、基準平面Ｐに対して５度斜め上方に向くように、赤色光反射面２０２Ｒおよび青色光反射面２０２Ｂを透過する。赤色光入射面４０４Ｒから入射した赤色光は、赤色光反射面４０２Ｒで、図１３（Ｂ），（Ｃ）に示すように、赤色光の中心軸が、反射前の中心軸にほぼ垂直に、かつ、基準平面Ｐに対して約５度斜め上方に向くように反射される。
【００６０】
側面ｍｎｒｑは、赤色光反射面４０２Ｒおよび青色光反射面４０２Ｂで合成された赤色光と緑色光と青色光とが射出される合成光射出面４０６である。この合成光射出面４０６は、合成光射出面４０６から射出される合成光が、射出後もそのまま直進するように形成されている。具体的には、図１３（Ｄ）に示すように、合成光の中心軸に対して垂直な面となるように、底面ｍｎｏｐに対して約８５度の鋭角を有するように形成されている。これにより、合成光射出面４０６から射出される合成光をそのまま直進させて、基準平面Ｐに対して約５度斜め上方向に射出することができる。
【００６１】
図１４は、色光合成プリズム４００を作製する方法について示す説明図である。まず、図１４（Ａ）に示すような、クロスダイクロイックプリズム４００Ｏを準備する。このクロスダイクロイックプリズム４００Ｏは、図９（Ａ）に示したクロスダイクロイックプリズム２００Ｏと同種の柱状プリズムである。
【００６２】
クロスダイクロイックプリズム４００Ｏを、図１４（Ｂ）に示すように、４つの切断面ＳＬ７〜ＳＬ１０で切断する。切断面ＳＬ７は、２つの頂点Ｔ，Ｗを通り、上面ＴＵＶＷに対して側面ＱＲＶＵ側に約８５度の傾きを有する面である。切断面ＳＬ８は、２つの頂点Ｕ，Ｖを通り、上面ＴＵＶＷに対して側面ＳＰＴＷ側に約８５度の傾きを有する面である。切断面ＳＬ９は、２つの頂点Ｖ，Ｗを通り、上面ＴＵＶＷに対して側面ＰＱＵＴ側に約８５度の傾きを有する面である。切断面ＳＬ１０は、切断面ＳＬ９に平行で、上面ＴＵＶＷを稜線ＶＷよりも稜線ＴＷに近い側で分断する面である。
【００６３】
上記４つの切断面ＳＬ７〜ＳＬ１０でクロスダイクロイックプリズム４００Ｏを切断することにより、図１３に示す色光合成プリズム４００を作製することができる。なお、図１４の作製方法は、一例でありこれに限定されるものではなく、図１３に示した形状の色光合成プリズム４００を作製することができればどのような方法であってもよい。
【００６４】
投写レンズ５００は、色光合成プリズム４００から射出された合成光の光路上に配置されている（図１〜図４）。この投写レンズ５００は、入射した光を投写する投写光学系としての機能を有している。色光合成プリズム４００から射出された合成光は、投写レンズ５００によって投写され、画像が表示される。
【００６５】
図１５は、各色光用のＤＭＤ３００Ｒ，３００Ｇ，３００Ｂの光照射面３０２の向きおよび各色の投写される画像を示す説明図である。なお、図１５（Ａ−２），（Ｂ−２），（Ｃ−２）に示す各色の投写される画像は、左右方向の画像の反転についてのみに着目して示しており、実際に投写される画像は投写レンズ５００の構成に応じて上下方向が反転する場合もある。
【００６６】
各色光用のＤＭＤ３００Ｒ，３００Ｇ，３００Ｂから射出された各色の光（画像光）のうち、赤色光および青色光は、色光合成プリズム４００の赤色光反射面４０２Ｒおよび青色光反射面４０２Ｂにおいて一回反射されるので、投写される赤色および青色の画像は、赤色光用のＤＭＤ３００Ｒおよび青色光用のＤＭＤ３００Ｂに形成される画像とは左右方向が反転する。一方、緑色光は、色光合成プリズム４００の赤色光反射面４０２Ｒおよび青色光反射面４０２Ｂを透過するので、投写される緑色の画像は、緑色光用のＤＭＤ３００Ｇに形成される画像と左右方向が一致している。この結果、図１５（Ａ−１），（Ｂ−１），（Ｃ−１）に示される各色光用のＤＭＤ３００Ｒ，３００Ｇ，３００Ｂの光照射面３０２に形成される画像は、図１５（Ａ−２），（Ｂ−２），（Ｃ−２）に示されるように、各色の画像が同じ向きを向くように投写される。
【００６７】
以上のように、各色光用のＤＭＤ３００Ｒ，３００Ｇ，３００Ｂの向きは、投写される画像の向きが同一になるように、各ＤＭＤ３００Ｒ，３００Ｇ，３００Ｂから投写レンズ５００に至るまでの光路上の反射回数に応じて、それぞれ選択される。
【００６８】
本実施例の投写型表示装置１０００の赤色光用および青色光用のＤＭＤ３００Ｒ，３００Ｂとして、緑色光用のＤＭＤ３００Ｇと異なる種類のＤＭＤを用いているのは上述の理由のためである。
【００６９】
以上説明した本実施例の投写型表示装置１０００においては、色光分離プリズム２００と、色光合成プリズム４００とを、色光合成プリズム４００の赤色光反射面４０２Ｒと青色光反射面４０２Ｂとが交差する交差軸４０２ｃが、色光分離プリズム２００の赤色光反射面２０２Ｒと青色光反射面２０２Ｂとが交差する交差軸２０２ｃと略同一直線上となるように隣接して配置されている。また、色光分離プリズム２００で分離された各色光が、それぞれ対応するＤＭＤ３００Ｒ，３００Ｇ，３００Ｂに入射し、各色光用のＤＭＤ３００Ｒ，３００Ｇ，３００Ｂから射出された各色光が、色光合成プリズム４００に入射するように、色光分離プリズム２００および色光合成プリズム４００に対する照明光学系１００および各色光用のＤＭＤ３００Ｒ，３００Ｇ，３００Ｂの位置関係が調整されている。これにより、従来の投写型表示装置において用いられていた反射／透過型プリズムを省略することができるので、投写型表示装置の全体を従来に比べて小型にすることできる。
【００７０】
図１６は、投写型表示装置１０００の設置方法について示す説明図である。図１６（Ａ−１）に示すように、投写型表示装置１０００を基準平面Ｐ（図１ないし図４のｘｚ平面）が平面Ｐ１に平行となるように設置して、例えばリアスクリーンＳＣに投写表示した場合の画像は、図１６（Ａ−２）に示すように、緑色光用のＤＭＤ３００Ｇの光照射面３０２の傾き（図１５（Ｂ））と同様に、時計周りに４５度傾いた画像となる。このような表示の傾きを無くすため、図１６（Ｂ−１）に示すように、本実施例の投写型表示装置１０００は、その筐体を斜めの状態で支持するための収納可能な支持具１０１０を備えており、光学系の全体が平面Ｐ１に対して反時計周りに４５度傾くように設置することができる。これにより、図１６（Ｂ−２）に示すように、表示された画像の傾きをなくすことができる。なお、この支持具１０１０を伸縮自在としたり、折りたたみ可能として筐体（箱体）内に収納することにより、投写表示を行わない場合には、図１６（Ａ−１）に示すように設置することができる。これにより、非使用時における配置スペースを小さくすることも可能である。
【００７１】
ところで、図１ないし図４に示すように、色光合成プリズム４００の緑色光入射面４０４Ｇの近傍には、λ／２位相差板２６０が設けられている。図１７は、色光合成プリズム４００およびλ／２位相差板２６０を示す平面図である。このλ／２位相差板２６０は、入射する直線偏光光の偏光方向をこれに垂直な偏光方向を有する直線偏光光に調整する偏光方向調整光学系としての機能を有している。各色光用のＤＭＤ３００Ｒ，３００Ｇ，３００Ｂから射出された色光は、照明光学系１００から射出された光と同じｓ偏光光である。緑色光用のＤＭＤ３００Ｇから射出された緑色光は、λ／２位相差板２６０を通過する際にｐ偏光光に変換される。この理由は、以下に説明するように、色光合成プリズム４００における緑色光の透過率を向上させるためである。
【００７２】
図１８と図１９は、色光合成プリズム４００の赤色光反射面４０２Ｒの赤色反射膜と青色光反射面４０２Ｂの青色反射膜の分光反射率特性の一例を示すグラフである。図１８と図１９には、ｓ偏光光に対する反射率特性が破線で描かれており、ｐ偏光光に対する反射率特性が実線で描かれている。なお、この明細書においては、反射率が５０％以上の波長域を「有効反射波長域」、反射率が５０％となる波長を「カットオフ波長」と呼ぶ。
【００７３】
青色光の波長域は通常約４００ｎｍ〜約５００ｎｍであり、緑色光の波長域は通常約５００ｎｍ〜約５８０ｎｍ、赤色光の波長域は通常約５８０ｎｍ〜約７００ｎｍに設定される。図１８から解るように、赤色反射膜のｓ偏光光に対する有効反射波長域（約５３０ｎｍ〜約７５０ｎｍ）は、ｐ偏光光に対する有効反射波長域（約６００ｎｍ〜約７００ｎｍ）を含み、これより広い波長域となっている。赤色光はｓ偏光光として色光合成プリズム４００に入射するので、この赤色光は図１８の特性を有する赤色反射膜によってほぼ１００％反射される。一方、緑色光はｐ偏光光として色光合成プリズム４００に入射するので、この緑色光は図１８の特性を有する赤色反射膜をほぼ１００％透過する。
【００７４】
一方、図１９から解るように、青色反射膜のｓ偏光光に対する有効反射波長域（約３９０ｎｍ〜約５３０ｎｍ）は、ｐ偏光光に対する有効反射波長域（約４００ｎｍ〜約４６０ｎｍ）を含み、これより広い波長域となっている。青色光はｓ偏光光として色光合成プリズム４００に入射するので、この青色光は図１９の特性を有する青色反射膜によって約８０％以上のかなり高い反射率で反射される。一方、緑色光はｐ偏光光として色光合成プリズム４００に入射するので、この緑色光は図１９の特性を有する青色反射膜をほぼ１００％透過する。
【００７５】
このように、赤色反射膜と青色反射膜は、ｓ偏光光に対する反射率特性が、ｐ偏光光に対する反射率特性よりも優れている。従って、赤色光と青色光をｓ偏光光として色光合成プリズム４００に入射させ、緑色光をｐ偏光光として色光合成プリズム４００に入射させることによって、赤色光と青色光に対しては高い反射率を得ることができ、一方、緑色光に対しては透過率を得ることができる。この結果、３色の光の利用効率をそれぞれ高めることができる。
【００７６】
なお、色光合成プリズム４００の赤色反射膜および青色反射膜の特性がよい場合には、λ／２位相差板２６０を省略することも可能である。この場合には、照明光学系１００の偏光変換光学系１４０を省略することもできる。
【００７７】
なお、本実施例の投写型表示装置１０００は、各色光用のＤＭＤ３００Ｒ，３００Ｇ，３００Ｂから射出された色光が基準平面Ｐに対して約５度上方向に向かうように設定された場合を例に説明しているが、これに限定されるものではない。例えば、以下に示すように変形することができる。
【００７８】
図２０は、投写型表示装置１０００の変形例である投写型表示装置１０００Ａを示す概略側面図である。この投写型表示装置１０００Ａは、各色光用のＤＭＤ３００Ｒ，３００Ｇ，３００Ｂを、これらの光照射面３０２が約５度下方向を向くように傾けて配置し、これに合わせて、他の光学系の配置や構成を変更したものであり、各光学系の機能は投写型表示装置１０００と同じである。
【００７９】
照明光学系１００の照明光軸１００ＬＣは、基準平面Ｐに対して３０度上方向に向くように設定されており、色光分離プリズム２００Ｂは照明光学系１００の照明光軸１００ＬＣの傾きに応じて、光入射面２０４や各色光射出面２０６Ｒ，２０６Ｇ，２０６Ｂが設定されている。
【００８０】
この投写型表示装置１０００Ａにおいては、各色光用のＤＭＤ３００Ｒ，３００Ｇ，３００Ｂから射出された各色光の光路を、基準平面Ｐに平行な面（ｘｚ平面）上に存在させることができる。
【００８１】
なお、色光合成プリズム４００は、直方体あるいは立方体形状を有する通常のクロスダイクロイックプリズム４００Ｏ（図１４（Ａ））と同じ種類のものに置き換えることが可能である。
【００８２】
図２１は、投写型表示装置１０００の他の変形例である投写型表示装置１０００Ｂを示す概略側面図である。この投写型表示装置１０００Ｂは、各色光用のＤＭＤ３００Ｒ，３００Ｇ，３００Ｂに入射させる色光の入射角を約２５度から約２０度に変更し、これに合わせて他の光学系の配置や構成を変更したものであり、各光学系の機能は投写型表示装置１０００と同じである。
【００８３】
照明光学系１００の照明光軸１００ＬＣは、基準平面Ｐに対して２０度上方向に向くように設定されており、色光分離プリズム２００Ｃは照明光学系１００の照明光軸１００ＬＣの傾きに応じて、光入射面２０４や各色光射出面２０６Ｒ，２０６Ｇ，２０６Ｂが設定されている。色光合成プリズム４００Ａは、直方体あるいは立方体形状を有する通常のクロスダイクロイックプリズム４００Ｏ（図１４（Ａ））と同じ種類のものである。
【００８４】
なお、色光分離プリズム２００Ｃから各色光用のＤＭＤ３００Ｒ、３００Ｇ、３００Ｂまでの光路は、色光合成プリズム４００Ａの配置スペースおよび各色光用のＤＭＤ３００Ｒ、３００Ｇ、３００Ｂから色光合成プリズム４００Ａまでの光路を確保するために、投写型表示装置１０００，１０００Ａに比べて長く設定されている。
【００８５】
この投写型表示装置１０００Ｂにおいても、各色光用のＤＭＤ３００Ｒ，３００Ｇ，３００Ｂから射出された各色光の光路を、基準平面Ｐに平行な面（ｘｚ平面）上に存在させることができる。
【００８６】
なお、上記変形は、以下で説明する各実施例においても適用可能である。
【００８７】
Ｂ．第２実施例：
図２２は、本発明の第２実施例としての投写型表示装置２０００における光学系の要部を示す概略平面図である。この投写型表示装置２０００は、第１実施例の投写型表示装置１０００の赤色光用および青色光用のＤＭＤ３００Ｒ、３００ＢをＤＭＤ３００Ｒａ，３００Ｂａに変更し、新たに２つの反射ミラー２７０，２８０を備えることにより、赤色光用および緑色光用のＤＭＤ３００Ｒａ，３００Ｂａの配置位置を変更したものであり、これら以外の他の構成は第１実施例と同じである。
【００８８】
赤色光用および青色光用のＤＭＤ３００Ｒａ，３００Ｂａは、緑色光用のＤＭＤ３００Ｇと同じ種類のＤＭＤであり、緑色光用のＤＭＤ３００Ｇと同じ方向を向くように配置されている。反射ミラー２７０は、色光分離プリズム２００から色光合成プリズム４００までの赤色光の光路上に配置されており、色光分離プリズム２００から射出された赤色光をＤＭＤ３００Ｒの方向に反射し、ＤＭＤ３００Ｒから射出された赤色光を色光合成プリズム４００の方向に反射する。反射ミラー２８０も、色光分離プリズム２００から色光合成プリズム４００までの光路上に配置されており、色光分離プリズム２００から射出された青色をＤＭＤ３００Ｂの方向に反射し、ＤＭＤ３００Ｂから射出された青色光を色光合成プリズム４００の方向に反射する。
【００８９】
図２３は、各色光用のＤＭＤ３００Ｒａ，３００Ｇ，３００Ｂａの光照射面３０２の向きおよび各色の投写される画像を示す説明図である。緑色光用のＤＭＤ３００Ｇから射出された緑色光は、一回も反射されることなく投写レンズ５００に入射する。一方、赤色光用のＤＭＤ３００Ｒａから射出された光は、反射ミラー２７０と色光合成プリズム４００の赤色光反射面４０２Ｒで２回反射される。また、青色光用のＤＭＤ３００Ｂａから射出された光も、反射ミラー２８０と色光合成プリズム４００の青色光反射面４０２Ｂで２回反射される。この場合、緑色光の反射回数と赤色および青色の反射回数とが異なっているものの、反射回数が偶数という意味では同じである。なお、この明細書において、「偶数」は０を含んでいる。これにより、赤色光用および青色光用のＤＭＤ３００Ｒ，３００Ｂの光照射面３０２の傾きを、図２３（Ａ−１），（Ｂ−１），（Ｃ−１）に示すように、緑色光用のＤＭＤ３００Ｇの光照射面３０２の傾きと同じにすることができる。この結果、第２実施例の投写型表示装置２０００は、第１実施例における赤色光用および青色光用のＤＭＤ３００Ｒ，３００Ｂが緑色光用のＤＭＤ３００Ｇと異なる種類のＤＭＤを用いる必要があったのに対して、同じ種類のＤＭＤを用いることができるという利点がある。
【００９０】
Ｃ．第３実施例：
図２４は、本発明の第３実施例としての投写型表示装置３０００における光学系の要部を示す概略平面図である。この投写型表示装置３０００は、第１実施例の投写型表示装置１０００の赤色光用および青色光用のＤＭＤ３００Ｒ、３００ＢをＤＭＤ３００Ｒａ，３００Ｂａに変更し、新たに反射ミラー２９０を備えることにより、緑色光用のＤＭＤ３００Ｇの配置位置を変更したものであり、これら以外の他の構成は第１実施例と同じである。
【００９１】
緑色光用のＤＭＤ３００Ｇは、青色光用のＤＭＤ３００Ｂａと同じ方向を向くように配置されている。反射ミラー２９０は、色光分離プリズム２００から色光合成プリズム４００までの緑色光の光路上に配置されており、色光分離プリズム２００から射出された緑色光をＤＭＤ３００Ｇの方向に反射し、ＤＭＤ３００Ｇから射出された緑色光を色光合成プリズム４００の方向に反射する。なお、緑色光用のＤＭＤ３００Ｇを、赤色光用のＤＭＤ３００Ｒａと同じ方向を向くように配置してもよい。
【００９２】
この投写型表示装置３０００は、第２実施例の投写型表示装置２０００（図２２）のように赤色光用および青色光用のＤＭＤ３００Ｒａ，３００Ｂａの配置位置を変更する代わりに、緑色光用のＤＭＤ３００Ｇの配置位置を変更した例を示している。
【００９３】
緑色光用のＤＭＤ３００Ｇから射出された緑色光は、投写レンズ５００に入射するまでに反射ミラー２９０で１回反射される。一方、赤色光用のＤＭＤ３００Ｒａから射出された赤色光は、色光合成プリズム４００の赤色光反射面４０２Ｒで１回反射される。また、青色光用のＤＭＤ３００Ｂａから射出された青色光も、色光合成プリズム４００の青色光反射面４０２Ｒで１回反射される。この場合、各色光用のＤＭＤ３００Ｒａ，３００Ｇ，３００Ｂａから射出された色光の反射回数が１回と同じになっている。この結果、第２実施例の投写型表示装置２０００と同様に、赤色光用および青色光用のＤＭＤ３００Ｒａ，３００Ｂａの光照射面３０２の傾きを、緑色光用のＤＭＤ３００Ｇの光照射面３０２の傾きと同じにすることができる。この結果、第３実施例の投写型表示装置３０００も、同じ種類のＤＭＤを用いることができるという利点がある。
【００９４】
本実施例では、各色光用のＤＭＤ３００Ｒａ，３００Ｇ，３００Ｂａから射出された各色光が、投写レンズ５００に到達するまでの光路上で反射される回数が１回で統一されている場合を例に説明しているが、これに限定されるものではない。各色光用のＤＭＤ３００Ｒａ，３００Ｇ，３００Ｂａから射出された各色光が、投写レンズ５００に到達するまでの光路上で反射される回数が奇数で統一されるように、各色光用のＤＭＤ３００Ｒ，３００Ｇ，３００Ｂから投写レンズ５００までの間の光路上に反射ミラーを設けるようにしてもよい。
【００９５】
なお、本発明は上記の各実施例や実施形態に限られるものではなく、その要旨を逸脱しない範囲において種々の態様において実施することが可能であり、例えば次のような変形も可能である。
【００９６】
（１）第２実施例は、各色光用のＤＭＤ３００Ｒａ，３００Ｇ，３００Ｂａから射出された各色光が、投写レンズ５００に到達するまでの光路上で反射される回数が偶数で統一されており、また、第３実施例は、奇数で統一されている。すなわち、各色光用のＤＭＤ３００Ｒａ，３００Ｇ，３００Ｂａから射出された各色光が、投写レンズ５００に到達するまでの光路上で反射される回数が奇数または偶数で統一されていればよい。このようにすれば、各色光用のＤＭＤとして同じ種類のＤＭＤを用いることができる。
【００９７】
（２）上記各実施例において用いたＤＭＤは、マイクロミラーの回動軸が約４５度の傾斜を有し、回動範囲が±１０度の場合を例に説明しているが、これに限定されるものではない。例えば、回動軸が縦方向または横方向を向いているような場合であってもよい。また、回動範囲が±１０度でなくてもよい。いずれの場合においても、従来必要としていた反射／透過型プリズムを省略することができるように、照明光学系と、色光分離プリズムと、３つのＤＭＤと、色光分離プリズムとが、色光分離プリズムから射出された各色光が対応するＤＭＤに入射され、各色光用のＤＭＤで反射された各色光が色光合成プリズムに入射するように配置されておればよい。
【００９８】
（３）上記各実施例では、ＤＭＤを用いた投写型表示装置を例に説明しているが、これに限定されるものではない。本発明は、光照射面に照射された光の射出方向を、与えられた画像データ（信号）に応じて制御することにより、光照射面に照射された光を変調し、画像を表す画像光を射出する射出方向制御型光変調装置を用いた投写型表示装置に適用可能である。
【００９９】
（４）上記各実施例では、照明光学系として、ｓ偏光光を射出する偏光照明光学系を適用した場合を例に説明しているが、これに限定されるものではなく、非偏光な光を射出する照明光学系を用いることもできる。また、照明光学系として、レンズアレイを用いたインテグレータ光学系を適用した場合を例に説明しているが、インテグレータロッドを用いたインテグレータ光学系を適用することも可能である。また、インテグレータ光学系を適用しない照明光学系を用いることも可能である。
【０１００】
（５）上記各実施例では、色光分離光学系および色光合成光学系として赤色光反射面と青色光反射面とが略Ｘ字状に形成されたプリズムを用いているが、赤色光反射面と青色光反射面とが略Ｘ字状に形成されたクロスダイクロイックミラーを用いることもできる。
【０１０１】
（６）上記各実施例では、説明を容易にするため、照明光学系から色光分離プリズムまでの光路を直線的に配置した例を示しているが、これに限定されるものではない。この光路上に反射ミラーを置くことによって照明光学系の配置を変更することも可能である。同様に、色光合成プリズムから投写レンズまでの光路上に反射ミラーを置くことにより、投写レンズの配置を変更することもできる。
【図面の簡単な説明】
【図１】本発明の第１実施例としての投写型表示装置１０００における光学系の要部を示す概略斜視図である。
【図２】本発明の第１実施例としての投写型表示装置１０００における光学系の要部を示す概略平面図である。
【図３】本発明の第１実施例としての投写型表示装置１０００における光学系の要部を示す概略正面図である。
【図４】本発明の第１実施例としての投写型表示装置１０００における光学系の要部を示す概略側面図である。
【図５】照明光学系１００の構成を示す説明図である。
【図６】第１のレンズアレイ１２０の外観を示す斜視図である。
【図７】偏光変換光学系１４０の構成およびその機能を示す説明図である。
【図８】色光分離プリズム２００の構造を示す説明図である。
【図９】色光分離プリズム２００を作製する方法について示す説明図である。
【図１０】色光分離プリズム２００を作製する方法について示す説明図である。
【図１１】各色光用のＤＭＤ３００Ｒ，３００Ｇ，３００Ｂの光照射面３０２を示す説明図である。
【図１２】図１１の矢印方向から見たマイクロミラー３０４への入射光とその反射光とを含む面、すなわち、回動軸３０４ｃに垂直な断面における光路を示す説明図である。
【図１３】色光合成プリズム４００の構造を示す説明図である。
【図１４】色光合成プリズム４００を作製する方法について示す説明図である。
【図１５】各色光用のＤＭＤ３００Ｒ，３００Ｇ，３００Ｂの光照射面３０２の向きおよび各色の投写される画像を示す説明図である。
【図１６】投写型表示装置１０００の設置方法について示す説明図である。
【図１７】色光合成プリズム４００およびλ／２位相差板２６０を示す平面図である。
【図１８】赤色光反射面４０２Ｒの赤色反射膜の分光反射率特性の一例を示すグラフである。
【図１９】青色光反射面４０２Ｂの青色反射膜の分光反射率特性の一例を示すグラフである。
【図２０】投写型表示装置１０００の変形例である投写型表示装置１０００Ａを示す概略側面図である。
【図２１】投写型表示装置１０００の他の変形例である投写型表示装置１０００Ｂを示す概略側面図である。
【図２２】本発明の第２実施例としての投写型表示装置２０００における光学系の要部を示す概略平面図である。
【図２３】各色光用のＤＭＤ３００Ｒａ，３００Ｇ，３００Ｂａの光照射面３０２の向きおよび各色の投写される画像を示す説明図である。
【図２４】本発明の第３実施例としての投写型表示装置３０００における光学系の要部を示す概略平面図である。
【図２５】従来の投写型表示装置の例を示す概略平面図である。
【符号の説明】
１００…照明光学系
１００ＬＣ…照明光軸
１１０…光源
１１０ＬＣ…光源光軸
１１２…光源ランプ
１１４…凹面鏡
１２０…第１のレンズアレイ
１２２…小レンズ
１３０…第２のレンズアレイ
１３３…小レンズ
１４０…偏光変換光学系
１４２…遮光板
１４２ａ…遮光面
１４２ｂ…開口面
１４４…偏光ビームスプリッタアレイ
１４４ａ…透光性板材
１４４ｂ…偏光分離膜
１４４ｃ…反射膜
１４６…選択位相差板
１４６ａ…λ／２位相差層
１４６ｂ…開口層
１５０…重畳レンズ
２００…色光分離プリズム
２００Ａ…色光分離プリズム
２００Ｂ…色光分離プリズム
２００Ｃ…色光分離プリズム
２００Ｏ…クロスダイクロイックプリズム
２０２Ｂ…青色光反射面
２０２Ｒ…赤色光反射面
２０２ｃ…交差軸
２０４…光入射面
２０６Ｒ…赤色光射出面
２０６Ｂ…青色光射出面
２０６Ｇ…緑色光射出面
２５０Ｒ，２５０Ｇ，２５０Ｂ…コンデンサーレンズ
２７０…反射ミラー
２８０…反射ミラー
２９０…反射ミラー
３００…照明対象
３００Ｒ，３００Ｇ，３００Ｂ…ＤＭＤ
３００Ｒａ，３００Ｂａ…ＤＭＤ
３０２…光照射面
３０２ｃ…中心軸
３０４…マイクロミラー
３０４…画素
３０４ｃ…回動軸
４００…色光合成プリズム
４００Ａ…色光合成プリズム
４００Ｏ…クロスダイクロイックプリズム
４０２Ｂ…青色光反射面
４０２Ｒ…青色光反射面
４０２ｃ…交差軸
４０４Ｂ…青色光入射面
４０４Ｇ…緑色光入射面
４０４Ｒ…赤色光入射面
４０６…合成光射出面
５００…投写レンズ
１０００…投写型表示装置
１０１０…支持具
１０００Ａ…投写型表示装置
１０００Ｂ…投写型表示装置
２０００…投写型表示装置
３０００…投写型表示装置
６０００…投写型表示装置
６１００…照明光学系
６１１０…光源
６１２０…コンデンサレンズ
６１３０…反射ミラー
６２００…ＴＩＲプリズム
６２００…プリズム
６３００…色光分離合成プリズム
６４００Ｒ，６４００Ｇ，６４００Ｂ…ＤＭＤ
６５００…投写レンズ
【図１】
0003743208.tif 000002
【図２】
0003743208.tif 000003
【図３】
0003743208.tif 000004
【図４】
0003743208.tif 000005
【図５】
0003743208.tif 000006
【図６】
0003743208.tif 000007
【図７】
0003743208.tif 000008
【図８】
0003743208.tif 000009
【図９】
0003743208.tif 000010
【図１０】
0003743208.tif 000011
【図１１】
0003743208.tif 000012
【図１２】
0003743208.tif 000013
【図１３】
0003743208.tif 000014
【図１４】
0003743208.tif 000015
【図１５】
0003743208.tif 000016
【図１６】
0003743208.tif 000017
【図１７】
0003743208.tif 000018
【図１８】
0003743208.tif 000019
【図１９】
0003743208.tif 000020
【図２０】
0003743208.tif 000021
【図２１】
0003743208.tif 000022
【図２２】
0003743208.tif 000023
【図２３】
0003743208.tif 000024
【図２４】
0003743208.tif 000025
【図２５】
0003743208.tif 000026